(57)【要約】【課題】インクの切り替わりの前後で印刷物を確認するユーザーの手間を軽減可能なインクジェット記録装置、及びインクジェット記録方法を提供すること。【解決手段】記録装置は、インク供給源におけるインク切れの検出時（ステップＳ１１のＹｅｓ）からのインクの消費量が所定の収容量を超えるタイミング（ステップＳ１８のＹｅｓ）の前後で、記録ヘッドによって記録される画像から判定用画像を抽出し（ステップＳ１７、ステップＳ２２）、抽出された判定用画像各々に基づいて、インクの切り替わりによる画質変化の有無を判定する（ステップＳ２３）。【選択図】図５
2020001236.tif 000002
【特許請求の範囲】
【請求項１】
インクを吐出する記録ヘッドと、
前記記録ヘッドに通じており、自装置に着脱されるインク収容部を含むインク供給源から供給されたインクが前記記録ヘッドへ流れる第１供給路と、
前記インク供給源が切り替えられた後に消費された前記インクの消費量が前記第１供給路における前記インクの流動方向の上流端から前記記録ヘッドのノズルに至るインク流路のインク収容量を超えるタイミングの前後で、前記記録ヘッドによって形成された画像を読み取る読取処理部と、
前記読取処理部によって前記タイミングの前に読み取られた第１読取データ及び前記タイミングの後に読み取られた第２読取データ各々から予め定められた特徴を有する判定用画像を抽出する抽出処理部と、
前記抽出処理部によって前記第１読取データから抽出された前記判定用画像及び前記第２読取データから抽出された前記判定用画像に基づいて、画質変化の有無を判定する第１判定処理部と、
を備えるインクジェット記録装置。
【請求項２】
前記判定用画像は、前記インクの色と同じ特定色のベタ画像であって、
前記第１判定処理部は、前記第１読取データから抽出された前記判定用画像の色及び前記第２読取データから抽出された前記判定用画像の色に基づいて、画質変化の有無を判定する、
請求項１に記載のインクジェット記録装置。
【請求項３】
前記第１判定処理部は、前記第１読取データから抽出された前記判定用画像における前記特定色の濃度と前記第２読取データから抽出された前記判定用画像における前記特定色の濃度との差が予め定められた閾値を超える場合に、画質変化があると判定し、
前記インクジェット記録装置は、
前記第１判定処理部によって画質変化があると判定された場合に、前記記録ヘッドによって形成される画像に含まれる前記特定色の濃度を補正する補正処理を実行する補正処理部を備える、
請求項２に記載のインクジェット記録装置。
【請求項４】
前記第１判定処理部によって画質変化があると判定された場合にその旨を報知する報知処理部を備える、
請求項１〜３のいずれかに記載のインクジェット記録装置。
【請求項５】
前記読取処理部は、前記タイミングの後に予め定められた間隔で前記記録ヘッドによって形成された画像を読み取り、
前記抽出処理部は、前記読取処理部によって前記第２読取データが読み取られるごとに当該第２読取データから前記判定用画像を抽出し、
前記第１判定処理部は、前記抽出処理部によって前記第２読取データから前記判定用画像が抽出されるごとに画質変化の有無を判定する、
請求項１〜４のいずれかに記載のインクジェット記録装置。
【請求項６】
前記読取処理部によって画像が読み取られる場合に、前記記録ヘッドによる画像形成に用いられる画像データに前記判定用画像を付加する付加処理部を備える、
請求項１〜５のいずれかに記載のインクジェット記録装置。
【請求項７】
同一の画像を連続して形成する特定印刷処理の実行中に前記インク供給源が切り替えられた場合に、当該画像に対応する特定画像データが前記判定用画像を含むか否かを判定する第２判定処理部と、
前記第２判定処理部によって前記特定画像データが前記判定用画像を含まないと判定された場合であって、前記読取処理部によって画像が読み取られる場合に、前記特定画像データに前記判定用画像を付加する付加処理部と、
を備える請求項１〜５のいずれかに記載のインクジェット記録装置。
【請求項８】
前記インク供給源から供給された前記インクを貯留する中間貯留部を備え、
前記インク供給源は、前記インク収容部から前記中間貯留部に至る第２供給路を含み、
前記第１供給路は、前記中間貯留部から前記記録ヘッドに至る、
請求項１〜７のいずれかに記載のインクジェット記録装置。
【請求項９】
２つの前記インク収容部を同時に装着可能である請求項８に記載のインクジェット記録装置。
【請求項１０】
インクを吐出する記録ヘッドと、前記記録ヘッドに通じており、自装置に着脱されるインク収容部を含むインク供給源から供給されたインクが前記記録ヘッドへ流れる第１供給路と、を備えるインクジェット記録装置で実行されるインクジェット記録方法であって、
前記インク供給源が切り替えられた後に消費された前記インクの消費量が前記第１供給路における前記インクの流動方向の上流端から前記記録ヘッドのノズルに至るインク流路のインク収容量を超えるタイミングの前後で、前記記録ヘッドによって形成された画像を読み取る読取ステップと、
前記読取ステップによって前記タイミングの前に読み取られた第１読取データ及び前記タイミングの後に読み取られた第２読取データ各々から予め定められた特徴を有する判定用画像を抽出する抽出ステップと、
前記抽出ステップによって前記第１読取データから抽出された前記判定用画像及び前記第２読取データから抽出された前記判定用画像に基づいて、画質変化の有無を判定する判定ステップと、
を含むインクジェット記録方法。
【発明の詳細な説明】
【技術分野】
【０００１】
本発明は、インクを用いて画像を形成可能なインクジェット記録装置、及びインクジェット記録方法に関する。
【背景技術】
【０００２】
プリンターなどのインクジェット記録装置では、印刷に用いられるインクを収容するインク収容部においてインク切れが発生した場合に、当該インク収容部が交換される。また、画像データ、及び当該画像データに基づく印刷処理の実行により出力される印刷物から読み取られる画像データに基づいて、印刷品質を検査可能な画像形成装置が知られている（特許文献１参照）。
【先行技術文献】
【特許文献】
【０００３】
【特許文献１】特開２０１３−２３５４５８号公報
【発明の概要】
【発明が解決しようとする課題】
【０００４】
ところで、インクジェット記録装置では、前記インク収容部の交換によって生じるインクの切り替わりにより、当該インクジェット記録装置で出力される印刷物の画質が変化することがある。例えば、インクは長期間の保管によってその粘度が上昇することがある。そのため、交換後の前記インク収容部が長期間保管された前記インク収容部である場合には、当該インク収容部に収容されているインクによって印刷物の画質が変化することがある。この場合において、インクジェット記録装置のユーザーが印刷物の画質変化を望まない場合、当該ユーザーにより印刷処理のやり直しや、前記インク収容部の再交換などが行われる。ここで、ユーザーが、インクの切り替わりに伴う画質変化の有無を判断する場合には、当該ユーザーにおいてインクの切り替わり前後に出力された印刷物各々を目視で確認する手間が生じる。
【０００５】
本発明の目的は、インクの切り替わりの前後で印刷物を確認するユーザーの手間を軽減可能なインクジェット記録装置、及びインクジェット記録方法を提供することにある。
【課題を解決するための手段】
【０００６】
本発明の一の局面に係るインクジェット記録装置は、記録ヘッドと、第１供給路と、読取処理部と、抽出処理部と、第１判定処理部とを備える。前記記録ヘッドは、インクを吐出する。前記第１供給路は、前記記録ヘッドに通じており、自装置に着脱されるインク収容部を含むインク供給源から供給されたインクが前記記録ヘッドへ流れる。前記読取処理部は、前記インク供給源が切り替えられた後に消費された前記インクの消費量が前記第１供給路における前記インクの流動方向の上流端から前記記録ヘッドのノズルに至るインク流路のインク収容量を超えるタイミングの前後で、前記記録ヘッドによって形成された画像を読み取る。前記抽出処理部は、前記読取処理部によって前記タイミングの前に読み取られた第１読取データ及び前記タイミングの後に読み取られた第２読取データ各々から予め定められた特徴を有する判定用画像を抽出する。前記第１判定処理部は、前記抽出処理部によって前記第１読取データから抽出された前記判定用画像及び前記第２読取データから抽出された前記判定用画像に基づいて、画質変化の有無を判定する。
【０００７】
本発明の他の局面に係るインクジェット記録方法は、インクを吐出する記録ヘッドと、前記記録ヘッドに通じており、自装置に着脱されるインク収容部を含むインク供給源から供給されたインクが前記記録ヘッドへ流れる第１供給路と、を備えるインクジェット記録装置で実行され、読取ステップと、抽出ステップと、判定ステップとを含む。前記読取ステップでは、前記インク供給源が切り替えられた後に消費された前記インクの消費量が前記第１供給路における前記インクの流動方向の上流端から前記記録ヘッドのノズルに至るインク流路のインク収容量を超えるタイミングの前後で、前記記録ヘッドによって形成された画像が読み取られる。前記抽出ステップでは、前記読取ステップによって前記タイミングの前に読み取られた第１読取データ及び前記タイミングの後に読み取られた第２読取データ各々から予め定められた特徴を有する判定用画像が抽出される。前記判定ステップでは、前記抽出ステップによって前記第１読取データから抽出された前記判定用画像及び前記第２読取データから抽出された前記判定用画像に基づいて、画質変化の有無が判定される。
【発明の効果】
【０００８】
本発明によれば、インクの切り替わりの前後で印刷物を確認するユーザーの手間を軽減することが可能である。
【図面の簡単な説明】
【０００９】
【図１】図１は、本発明の実施形態に係るインクジェット記録装置の構成を示す図である。
【図２】図２は、本発明の実施形態に係るインクジェット記録装置における画像記録部の構成を示す図である。
【図３】図３は、本発明の実施形態に係るインクジェット記録装置におけるインク供給部の構成を示す図である。
【図４】図４は、本発明の実施形態に係るインクジェット記録装置のシステム構成を示すブロック図である。
【図５】図５は、本発明の実施形態に係るインクジェット記録装置で実行される画質判定処理の一例を示すフローチャートである。
【図６】図６は、本発明の他の実施形態に係るインクジェット記録装置のシステム構成を示すブロック図である。
【図７】図７は、本発明の他の実施形態に係るインクジェット記録装置で実行される画質判定処理の一例を示すフローチャートである。
【発明を実施するための形態】
【００１０】
以下、図面を参照しながら、本発明の実施形態について説明する。なお、以下に説明される実施形態は本発明を具体化した一例にすぎず、本発明の技術的範囲を限定するものではない。
【００１１】
図１乃至図４を参照して、本発明の一実施形態に係る捺染用のインクジェット記録装置１０（以下「記録装置１０」と略称する。）について説明する。図１は、記録装置１０の構成を示す図である。
【００１２】
記録装置１０は、入力される画像データに基づいて、不織布や布地などのようなロール状の布帛にインクを吐出して、布帛の繊維をインクで染めることにより、布帛に画像を記録する装置であり、所謂、捺染印刷機（捺染プリンター）である。
【００１３】
図１及び図４に示されるように、記録装置１０は、搬送部１１、支持ユニット１２、昇降機構１３、メンテナンスユニット１４、キャップユニット１５、画像記録部２０、操作表示部４０、画像読取部５０、制御部６０、及びこれらを収容又は支持する本体フレーム１６などを備えている。
【００１４】
搬送部１１は、供給ローラー１１Ａと、搬送ローラー１１Ｂと、搬送ローラー１１Ｃと、巻取ローラー１１Ｄとを有する。供給ローラー１１Ａは、印刷対象となる布帛が巻き付けられるローラーである。供給ローラー１１Ａに巻き付けられた布帛は、供給ローラー１１Ａから引き出されて、搬送ローラー１１Ｂ、支持ユニット１２の環状ベルト１２Ｃ、及び搬送ローラー１１Ｃに巻き架けられて、巻取ローラー１１Ｄに固定される。搬送部１１では、制御部６０からの制御信号によって搬送ローラー１１Ｂ、搬送ローラー１１Ｃ、及び巻取ローラー１１Ｄが図１の時計回り方向に回転駆動される。これにより、供給ローラー１１Ａと巻取ローラー１１Ｄとの間に架け渡された布帛は、搬送方向Ｄ１へ搬送される。なお、図１には、布帛の搬送経路Ｒ１が二点鎖線によって示されている。
【００１５】
支持ユニット１２は、布帛の搬送経路Ｒ１において搬送ローラー１１Ｂと搬送ローラー１１Ｃとの間に設けられる。支持ユニット１２は、布帛を支持するとともに搬送方向Ｄ１の下流側へ布帛を搬送するものである。支持ユニット１２は、駆動ローラー１２Ａと、従動ローラー１２Ｂと、駆動ローラー１２Ａ及び従動ローラー１２Ｂに掛け渡された環状ベルト１２Ｃとを有する。支持ユニット１２においても、駆動ローラー１２Ａが回転駆動されることで、環状ベルト１２Ｃの支持面Ｆ１に支持された布帛が搬送方向Ｄ１へ向けて搬送される。ここで、支持面Ｆ１は、環状ベルト１２Ｃにおけるベルト上部１２Ｃ１の上面である。
【００１６】
画像記録部２０は、インクを用いて布帛に画像を記録可能である。画像記録部２０は、支持ユニット１２の上側に設けられている。画像記録部２０は、ヘッドフレーム２１、及びヘッドフレーム２１に保持された４つのラインヘッド２２を備えている。ヘッドフレーム２１は、支持ユニット１２の環状ベルト１２Ｃの支持面Ｆ１と対向する位置に設けられており、本体フレーム１６によって水平となるように支持されている。ラインヘッド２２は、その下側を搬送される布帛の一方側の面（表面）に向けてインク滴を吐出して、布帛の表面において予め定められた記録領域に対してインク滴による画像を記録する。４つのラインヘッド２２それぞれは、搬送方向Ｄ１に沿って水平方向に所定間隔を隔てられて、ヘッドフレーム２１に固定されている。４つのラインヘッド２２は、搬送方向Ｄ１の上流側から順に、それぞれ、シアン、マゼンタ、イエロー、及びブラックのインクに対応している。
【００１７】
また、ラインヘッド２２は、環状ベルト１２Ｃの支持面Ｆ１に対して所定間隔だけ離間する高さに支持される。前記所定間隔は、ラインヘッド２２と支持面Ｆ１との間に布帛が移動する空間を確保することが可能な間隔であって、例えば、布帛の厚みに微小間隔（例えば１ｍｍ）を加えた間隔である。
【００１８】
図２は、記録装置１０の支持ユニット１２及び画像記録部２０を上方から見た図である。図２に示されるように、ラインヘッド２２は、それぞれ、３つの記録ヘッド２３を有する。各ラインヘッド２２において、３つの記録ヘッド２３は、搬送方向Ｄ１と直交する幅方向Ｄ２に沿って千鳥状に配列されている。３つの記録ヘッド２３によって、布帛の前記記録領域における幅方向Ｄ２の全域に一斉にインク滴が吐出される。
【００１９】
記録ヘッド２３は、複数の吐出ノズル２４を有する。複数の吐出ノズル２４は、記録ヘッド２３における環状ベルト１２Ｃの支持面Ｆ１との対向面であるインク吐出面Ｆ２に形成されている。インク吐出面Ｆ２において、吐出ノズル２４は、搬送方向Ｄ１に沿って複数列形成されている。吐出ノズル２４は、下部開口を有する。この下部開口は、布帛の表面にインク滴を吐出するためのインク吐出口である。
【００２０】
各記録ヘッド２３は、制御部６０からの画像データに対応する制御信号の入力に応じて、環状ベルト１２Ｃによって搬送される布帛に向かって吐出ノズル２４からインク滴を吐出する。これにより、環状ベルト１２Ｃ上の布帛は、シアン、マゼンタ、イエロー及びブラックの４色のインクによって繊維が染められて、各色が重ね合わされたカラー画像が記録される。
【００２１】
図３は、ラインヘッド２２にインクを供給するインク供給部２５の構成を示す図である。画像記録部２０は、ラインヘッド２２各々に対応するインク供給部２５を備える。換言すると、画像記録部２０は、４つのインク供給部２５を備える。なお、図３には、画像記録部２０において最も右側（搬送方向Ｄ１の上流側）に配置されたシアンのラインヘッド２２Ａに対応するインク供給部２５が示されており、他のラインヘッド２２に対応するインク供給部２５の図示は省略されている。また、図３では、インク容器２６Ａ、２６Ｂ、及びサブインクタンク２９に収容されているインクの水面が一点鎖線によって示されている。
【００２２】
図３に示されるように、インク供給部２５は、インク容器２６Ａ、２６Ｂ（本発明の２つのインク収容部の一例）、第２供給路２７Ａ、２７Ｂ、ポンプ２８Ａ、２８Ｂ、サブインクタンク２９（本発明の中間貯留部の一例）、センサー３０、及び第１供給路３１を備える。なお、以下の説明では、インク容器２６Ａ、２６Ｂを総称してインク容器２６と呼称することがある。また、ポンプ２８Ａ、２８Ｂを総称してポンプ２８と呼称することがある。
【００２３】
インク容器２６Ａは、記録装置１０に着脱可能に設けられ、ラインヘッド２２に供給されるインクを収容する。例えば、図３に示されたラインヘッド２２Ａに対応するインク容器２６Ａには、シアンのインクが収容される。第２供給路２７Ａは、インク容器２６Ａからサブインクタンク２９に至るインクの流路であって、例えば、樹脂製のチューブによって構成される。ポンプ２８Ａは、第２供給路２７Ａ上に設けられ、インク容器２６Ａに収容されているインクを汲み上げてサブインクタンク２９に供給する。インク容器２６Ａ、第２供給路２７Ａ、及びポンプ２８Ａにより、サブインクタンク２９にインクを供給するインク供給源３２Ａが構成される。
【００２４】
インク容器２６Ｂは、記録装置１０に着脱可能に設けられ、ラインヘッド２２に供給されるインクを収容する。即ち、記録装置１０は、インク容器２６Ａ、及び２６Ｂを同時に装着することが可能である。例えば、図３に示されたラインヘッド２２Ａに対応するインク容器２６Ｂには、シアンのインクが収容される。第２供給路２７Ｂは、インク容器２６Ｂからサブインクタンク２９に至るインクの流路であって、例えば、樹脂製のチューブによって構成される。ポンプ２８Ｂは、第２供給路２７Ｂ上に設けられ、インク容器２６Ｂに収容されているインクを汲み上げてサブインクタンク２９に供給する。インク容器２６Ｂ、第２供給路２７Ｂ、及びポンプ２８Ｂにより、サブインクタンク２９にインクを供給するインク供給源３２Ｂが構成される。なお、以下の説明では、インク供給源３２Ａ、３２Ｂを総称してインク供給源３２と呼称することがある。
【００２５】
サブインクタンク２９は、インク供給源３２各々から供給されたインクを貯留する。サブインクタンク２９には、内部に貯留されるインクの水面より上側の空間の気圧が大気圧と同じになるように、その上部に外部と連通する通気孔２９Ａが設けられている。センサー３０は、サブインクタンク２９に貯留されているインクの水面がサブインクタンク２９内における予め定められた基準位置に達しているか否かを検出可能である。例えば、センサー３０は、電極式、又は静電容量式によって水面を検出可能な所謂液面センサーである。
【００２６】
記録装置１０では、２つのインク供給源３２によりサブインクタンク２９へのインクの供給が交互に行われる。
【００２７】
例えば、制御部６０は、センサー３０を用いて、サブインクタンク２９へのインクの供給担当に定められたインク供給源３２からのサブインクタンク２９へのインクの供給を制御する。具体的に、制御部６０は、センサー３０によって前記基準位置より下側へのインクの水面の下降が検出された場合に、前記供給担当のインク供給源３２に含まれるポンプ２８を駆動させて当該インク供給源３２からサブインクタンク２９へインクを供給させる。
【００２８】
また、制御部６０は、センサー３０を用いて、前記供給担当のインク供給源３２におけるインク切れを検出する。具体的に、制御部６０は、前記供給担当のインク供給源３２に含まれるポンプ２８の駆動が開始してから予め定められた許容時間が経過するまでにセンサー３０によって前記基準位置より上側へのインクの水面の上昇が検出されない場合に、前記供給担当のインク供給源３２におけるインク切れを検出する。
【００２９】
また、制御部６０は、前記供給担当のインク供給源３２におけるインク切れを検出した場合に、前記供給担当を他方のインク供給源３２に切り替える。具体的に、制御部６０は、サブインクタンク２９へのインクの供給時に駆動対象となるポンプ２８を切り替える。サブインクタンク２９では、前記供給担当のインク供給源３２の切替時から、貯留されているインクに占める切替後のインク供給源３２のインクの割合が徐々に増加する。そして、ある程度の時間が経過すると、サブインクタンク２９に貯留されているインクが切替前のインク供給源３２のインクから切替後のインク供給源３２のインクに完全に切り替わる。
【００３０】
なお、制御部６０は、記録ヘッド２３におけるインクの吐出量に基づいて、前記供給担当のインク供給源３２からのサブインクタンク２９へのインクの供給を制御してもよい。また、制御部６０は、センサー３０に替えて、インク容器２６に収容されているインクの残量を検出可能なセンサーを用いて、前記供給担当のインク供給源３２におけるインク切れを検出してもよい。
【００３１】
第１供給路３１は、サブインクタンク２９から記録ヘッド２３に至るインクの流路であって、例えば、樹脂製のチューブによって構成される。第１供給路３１では、サブインクタンク２９に貯留されたインクが流動方向Ｄ３に沿って記録ヘッド２３へ流れる。第１供給路３１における流動方向Ｄ３の上流端３１Ａは、サブインクタンク２９内に位置しており、流動方向Ｄ３の下流端３１Ｂは、記録ヘッド２３に接続されている。なお、図３には１つの下流端３１Ｂしか示されていないが、第１供給路３１は、３つの下流端３１Ｂを有しており、当該３つの下流端３１Ｂが３つの記録ヘッド２３に接続されている。換言すると、第１供給路３１は、上流端３１Ａよりも流動方向Ｄ３の下流側で３つに分岐している。
【００３２】
記録装置１０では、サブインクタンク２９内の前記基準位置が記録ヘッド２３のインク吐出面Ｆ２から下方へ予め定められた距離だけ離間するように、サブインクタンク２９が配置されている。これにより、記録ヘッド２３の吐出ノズル２４内に負圧状態が形成されている。
【００３３】
図３に示されるように、記録ヘッド２３は、加圧室２３Ａ、及び連通路２３Ｂを備える。加圧室２３Ａは、吐出ノズル２４各々に対応して設けられ、対応する吐出ノズル２４に通じている。連通路２３Ｂは、加圧室２３Ａ各々に通じており、第１供給路３１から供給されるインクが加圧室２３Ａ各々へ流れる。連通路２３Ｂには、第１供給路３１の下流端３１Ｂが接続される。加圧室２３Ａ各々には、予め定められた駆動電圧の印加に応じて加圧室２３Ａ内のインクを加圧する圧電素子（不図示）が設けられている。前記圧電素子に前記駆動電圧が印加されることで、加圧室２３Ａ内のインクが加圧されて、吐出ノズル２４から吐出される。また、吐出ノズル２４からインクが吐出されることで、加圧室２３Ａ内のインクが減圧されて、サブインクタンク２９に貯留されているインクが第１供給路３１を介して記録ヘッド２３に吸い上げられる。
【００３４】
支持ユニット１２の下方には、昇降機構１３が設けられている。昇降機構１３は、支持ユニット１２を昇降させるものであり、支持ユニット１２を支持するリフト板１３Ａと、リフト板１３Ａに取り付けられたリンクアーム１３Ｂと、リンクアーム１３Ｂを上下に移動させる動力を伝達する本体部１３Ｃとにより構成することができる。なお、昇降機構１３はこのような構成に限られず、支持ユニット１２を昇降させる機構であれば如何なる構成のものでも適用可能である。昇降機構１３は、支持ユニット１２を下方から支持しており、支持ユニット１２をラインヘッド２２に対して上下に昇降させる。即ち、昇降機構１３は、支持ユニット１２をラインヘッド２２に対して相対的に移動させることにより、支持ユニット１２とラインヘッド２２とを離間又は接近させる。具体的には、昇降機構１３は、画像記録部２０による印刷が可能な印刷可能位置（図１に実線で示す位置）と、前記印刷可能位置から下方へ所定距離を隔てたメンテナンス位置（図１に破線で示す位置）との間で支持ユニット１２を移動させる。
【００３５】
また、昇降機構１３は、制御部６０からの制御信号に応じて、支持ユニット１２の支持面Ｆ１上の布帛の厚みに応じて、支持面Ｆ１と記録ヘッド２３のインク吐出面Ｆ２（図２参照）との間隔を適切な距離に調整することができる。
【００３６】
搬送ローラー１１Ｃの下方にはメンテナンスユニット１４及びキャップユニット１５が配置されている。メンテナンスユニット１４は、インク吐出面Ｆ２を拭き取ってインク吐出面Ｆ２の洗浄を行うワイピング動作を行うものである。メンテナンスユニット１４は、ワイピング動作を実行する際に画像記録部２０の下方に移動される。キャップユニット１５は、記録ヘッド２３のインク吐出面Ｆ２をキャッピングする際に画像記録部２０の下方に移動される。さらに、キャップユニット１５は、画像記録部２０の下方から上方に移動することで、記録ヘッド２３の下面のインク吐出面Ｆ２を被覆して、乾燥から保護する。
【００３７】
操作表示部４０は、制御部６０からの制御指示に応じて各種の情報を表示する液晶ディスプレーなどの表示部、及びユーザーの操作に応じて制御部６０に各種の情報を入力する操作キー又はタッチパネルなどの操作部を有する。
【００３８】
画像読取部５０は、布帛から画像を読み取り可能である。図４に示されるように、画像読取部５０は撮像素子５１を含む。図１に示されるように、撮像素子５１は、布帛の搬送経路Ｒ１において記録ヘッド２３による記録位置（記録ヘッド２３の下方の位置）よりも搬送方向Ｄ１の下流側で、布帛の表面と対向して設けられる。例えば、撮像素子５１は、発光部及び受光部を備えるＣＩＳ（Contact Image Sensor）である。前記発光部は、布帛の表面へ向けて光を射出する。前記受光部は、前記発光部から射出されて布帛の表面で反射した光を受光して受光量に応じた電気信号を出力する。画像読取部５０は、撮像素子５１の前記受光部から出力される電気信号を不図示のアナログフロントエンド回路でデジタル信号（画像データ）に変換する。画像読取部５０によって取得された画像データは、制御部６０に入力される。
【００３９】
図４に示されるように、制御部６０は、ＣＰＵ６１、ＲＯＭ６２、ＲＡＭ６３、フラッシュメモリ６４等を有している。ＲＯＭ６２は不揮発性の記憶装置、ＲＡＭ６３は揮発性の記憶装置、フラッシュメモリ６４は不揮発性の記憶装置である。ＲＡＭ６３、フラッシュメモリ６４は、演算装置であるＣＰＵ６１が実行する各種の処理の一時記憶メモリーとして使用される。ＲＯＭ６２には、所定の制御プログラムや、後述の画質判定処理を実行するための画質判定プログラムなどが記憶されている。制御部６０は、記録装置１０の各構成要素と電気的に接続されており、制御信号を送出することにより、それらの各構成要素の動作を制御する。また、制御部６０は、外部から入力される画像データに基づいて記録装置１０の各構成要素を統括的に制御することにより、その画像データに対応する画像を布帛に記録させる。また、制御部６０は、図５に示されるフローチャートの手順に従って前記画質判定処理を実行する。
【００４０】
ところで、記録装置１０では、前記供給担当のインク供給源３２が切り替えられることによって生じるインクの切り替わりにより、記録装置１０で出力される印刷物の画質が変化することがある。例えば、インクは長期間の保管によってその粘度が上昇することがある。そのため、切替後のインク供給源３２に含まれるインク容器２６が長期間保管されたインク容器２６である場合には、そのインク容器２６に収容されているインクによって印刷物の画質が変化することがある。また、インク容器２６の製造者が記録装置１０の製造者と異なる場合には、記録装置１０の製造者によって製造されたインク容器２６が用いられる場合と比較して、印刷物の画質が低下することがある。これらの場合において、記録装置１０のユーザーが印刷物の画質変化を望まない場合、当該ユーザーにより印刷処理のやり直しや、インク容器２６の再交換などが行われる。ここで、ユーザーが、インクの切り替わりに伴う画質変化の有無を判断する場合には、当該ユーザーにおいてインクの切り替わり前後に出力された印刷物各々を目視で確認する手間が生じる。これに対し、本発明の実施形態に係る記録装置１０では、以下に説明するように、インクの切り替わりの前後で印刷物を確認するユーザーの手間を軽減することが可能である。
【００４１】
具体的に、制御部６０は、図４に示されるように、読取処理部６５、第２判定処理部６６、付加処理部６７、抽出処理部６８、第１判定処理部６９、及び報知処理部７０を含む。具体的に、制御部６０のＣＰＵ６１は、ＲＯＭ６２に記憶された前記画質判定プログラムを実行する。これにより、制御部６０は、読取処理部６５、第２判定処理部６６、付加処理部６７、抽出処理部６８、第１判定処理部６９、及び報知処理部７０として機能する。
【００４２】
読取処理部６５は、予め定められたタイミングの前後で、画像読取部５０を用いて、記録ヘッド２３によって形成された画像を読み取る。
【００４３】
ここで、前記タイミングは、前記供給担当のインク供給源３２の切り替えに伴うインクの切り替わりが開始するタイミングである。即ち、前記タイミングの後に記録ヘッド２３から吐出されるインクには、切り替え後の前記供給担当のインク供給源３２のインクが含まれる。
【００４４】
具体的に、前記タイミングは、前記供給担当のインク供給源３２が切り替えられた後にラインヘッド２２により消費されたインクの消費量が、第１供給路３１の上流端３１Ａから記録ヘッド２３の吐出ノズル２４に至るインク流路のインク収容量を超えるタイミングである。前記インク流路は、第１供給路３１、並びに記録ヘッド２３各々の連通路２３Ｂ及び複数の加圧室２３Ａにより構成される。
【００４５】
例えば、読取処理部６５は、前記供給担当のインク供給源３２が切り替えられた時から、ラインヘッド２２によって画像記録が行われるたびに、当該ラインヘッド２２によるインクの吐出量（消費量）を算出する。なお、ラインヘッド２２によるインクの吐出量は、画像記録に用いられる画像データに基づいて算出することが可能である。
【００４６】
そして、読取処理部６５は、画像記録が行われるたびに算出されるインクの吐出量の累計値が前記インク流路のインク収容量を超える前に、記録ヘッド２３によって形成された画像を読み取る。
【００４７】
また、読取処理部６５は、画像記録が行われるたびに算出されるインクの吐出量の累計値が前記インク流路のインク収容量を超えた時に、記録ヘッド２３によって形成された画像を読み取る。その後、読取処理部６５は、予め定められた間隔で記録ヘッド２３によって形成された画像を読み取る。なお、前記間隔は任意に定められる時間であってよい。
【００４８】
なお、読取処理部６５は、画像記録が行われるたびに算出されるインクの吐出量の累計値が前記インク流路のインク収容量を超えた後に、一度だけ記録ヘッド２３によって形成された画像を読み取ってもよい。
【００４９】
第２判定処理部６６は、同一の画像を連続して形成する特定印刷処理の実行中に前記供給担当のインク供給源３２が切り替えられた場合に、当該画像に対応する特定画像データが予め定められた特徴を有する判定用画像を含むか否かを判定する。
【００５０】
例えば、前記判定用画像は、予め定められたサイズを有する矩形状の画像であって、前記供給担当のインク供給源３２が切り替えられたインク供給部２５によって供給されるインクの色と同じ第１色（本発明の特定色の一例）のベタ画像である。
【００５１】
なお、前記判定用画像のサイズ及び形状は任意に定められてよい。また、前記判定用画像は、前記第１色のハーフトーン画像であってもよい。また、前記判定用画像の色は、前記第１色の色成分を含む色であればよい。
【００５２】
付加処理部６７は、第２判定処理部６６によって前記特定画像データが前記判定用画像を含まないと判定された場合であって、読取処理部６５によって画像が読み取られる場合に、前記特定画像データに前記判定用画像を付加する。例えば、付加処理部６７は、前記特定画像データにおける幅方向Ｄ２（図２参照）の端部位置に前記判定用画像が含まれるように、前記特定画像データの内容を変更する。
【００５３】
なお、付加処理部６７は、第２判定処理部６６による判定結果に関わらず、読取処理部６５によって画像が読み取られる場合に、前記記録ヘッドによる画像形成に用いられる画像データに前記判定用画像を付加してもよい。この場合、制御部６０は、第２判定処理部６６を含んでいなくてもよい。
【００５４】
抽出処理部６８は、読取処理部６５によって前記タイミングの前に読み取られた第１読取データから前記判定用画像を抽出する。また、抽出処理部６８は、読取処理部６５によって前記タイミングの後に読み取られた第２読取データから前記判定用画像を抽出する。また、抽出処理部６８は、読取処理部６５によって前記第２読取データが読み取られるごとに、当該第２読取データから前記判定用画像を抽出する。
【００５５】
第１判定処理部６９は、抽出処理部６８によって前記第１読取データから抽出された前記判定用画像、及び前記第２読取データから抽出された前記判定用画像に基づいて、画質変化の有無を判定する。
【００５６】
具体的に、第１判定処理部６９は、前記第１読取データから抽出された前記判定用画像の色、及び前記第２読取データから抽出された前記判定用画像の色に基づいて、画質変化の有無を判定する。
【００５７】
例えば、第１判定処理部６９は、前記第１読取データから抽出された前記判定用画像における前記第１色の濃度と、前記第２読取データから抽出された前記判定用画像における前記第１色の濃度との差が予め定められた閾値を超える場合に、画質変化があると判定する。なお、前記閾値は、操作表示部４０におけるユーザー操作に応じて定められる値であってもよいし、ＲＯＭ６２に予め記録される値であってもよい。
【００５８】
なお、第１判定処理部６９は、前記第１読取データから抽出された前記判定用画像における前記第１色とは異なる第２色の濃度と、前記第２読取データから抽出された前記判定用画像における前記第２色の濃度との差が予め定められた値を超える場合に、画質変化があると判定してもよい。
【００５９】
また、第１判定処理部６９は、前記第１読取データから抽出された前記判定用画像の色のＬａｂ色空間におけるＬ、ａ、ｂいずれかの座標の値と、前記第２読取データから抽出された前記判定用画像の色のＬａｂ色空間における対応する座標の値との差が予め定められた値を超える場合に、画質変化があると判定してもよい。
【００６０】
また、第１判定処理部６９は、前記第１読取データから抽出された前記判定用画像における外縁部の濃度変化の傾きと、前記第２読取データから抽出された前記判定用画像における外縁部の濃度変化の傾きとの差が予め定められた値を超える場合に、画質変化があると判定してもよい。換言すると、第１判定処理部６９は、前記第１読取データから抽出された前記判定用画像における輪郭の明確性と、前記第２読取データから抽出された前記判定用画像における輪郭の明確性との差に基づいて、画質変化があるか否かを判定してもよい。
【００６１】
第１判定処理部６９は、抽出処理部６８によって前記第２読取データから前記判定用画像が抽出されるごとに、画質変化の有無を判定する。
【００６２】
報知処理部７０は、第１判定処理部６９によって画質変化があると判定された場合に、その旨を報知する。例えば、報知処理部７０は、前記供給担当のインク供給源３２の切り替わりにより印刷画質が変化した旨を示すメッセージを操作表示部４０に表示させる。
【００６３】
［画質判定処理］
以下、図５を参照しながら、記録装置１０において制御部６０により実行される画質判定処理の手順の一例とともに、本発明のインクジェット記録方法の一例について説明する。ここで、ステップＳ１１、Ｓ１２・・・は、制御部６０により実行される処理手順（ステップ）の番号を表している。なお、前記画質判定処理は、前記特定印刷処理が実行される場合に、当該特定印刷処理と並行して実行される。
【００６４】
＜ステップＳ１１＞
まず、ステップＳ１１において、制御部６０は、シアン、マゼンタ、イエロー、及びブラックのいずれかの色に対応するインク供給部２５において、前記供給担当のインク供給源３２におけるインク切れを検出したか否かを判断する。
【００６５】
ここで、制御部６０は、インク切れを検出したと判断すると（Ｓ１１のＹｅｓ側）、処理をステップＳ１２に移行させる。また、インク切れを検出していなければ（Ｓ１１のＮｏ側）、制御部６０は、ステップＳ１１でインク切れの検出を待ち受ける。
【００６６】
＜ステップＳ１２＞
ステップＳ１２において、制御部６０は、前記供給担当のインク供給源３２を切り替える。また、制御部６０は、前記供給担当のインク供給源３２が切り替えられたインク供給部２５に対応するラインヘッド２２による画像記録が行われるごとに、当該ラインヘッド２２によるインクの吐出量（消費量）を算出する。
【００６７】
＜ステップＳ１３＞
ステップＳ１３において、制御部６０は、前記供給担当のインク供給源３２が切り替えられた旨を示すメッセージを操作表示部４０に表示させる。これにより、記録装置１０のユーザーは、インク切れが検出されたことを認識して、インク切れが検出されたインク供給源３２のインク容器２６を交換することが可能である。
【００６８】
＜ステップＳ１４＞
ステップＳ１４において、制御部６０は、並行して実行されている前記特定印刷処理で印刷される画像に対応する前記特定画像データが前記判定用画像を含むか否かを判定する。ここで、ステップＳ１４の処理は、制御部６０の第２判定処理部６６により実行される。
【００６９】
ここで、制御部６０は、前記特定画像データが前記判定用画像を含むと判断すると（Ｓ１４のＹｅｓ側）、処理をステップＳ１６に移行させる。また、前記特定画像データが前記判定用画像を含まなければ（Ｓ１４のＮｏ側）、制御部６０は、処理をステップＳ１５に移行させる。
【００７０】
＜ステップＳ１５＞
ステップＳ１５において、制御部６０は、前記特定画像データに前記判定用画像を付加する。ここで、ステップＳ１５の処理は、制御部６０の付加処理部６７により実行される。
【００７１】
＜ステップＳ１６＞
ステップＳ１６において、制御部６０は、画像読取部５０を用いて、記録ヘッド２３によって形成された画像を読み取る。ここに、ステップＳ１６の処理が、本発明における読取ステップの一例であって、制御部６０の読取処理部６５により実行される。
【００７２】
＜ステップＳ１７＞
ステップＳ１７において、制御部６０は、ステップＳ１６で読み取られた読取データ（前記第１読取データ）から前記判定用画像を抽出する。ここに、ステップＳ１７の処理が、本発明における抽出ステップの一例であって、制御部６０の抽出処理部６８により実行される。
【００７３】
＜ステップＳ１８＞
ステップＳ１８において、制御部６０は、前記供給担当のインク供給源３２が切り替えられたインク供給部２５に対応するラインヘッド２２によるインクの吐出量（消費量）の累計値が、前記インク流路のインク収容量を超えたか否かを判断する。
【００７４】
ここで、制御部６０は、インクの吐出量の累計値が前記インク流路のインク収容量を超えたと判断すると（Ｓ１８のＹｅｓ側）、処理をステップＳ１９に移行させる。また、インクの吐出量の累計値が前記インク流路のインク収容量を超えていなければ（Ｓ１８のＮｏ側）、制御部６０は、ステップＳ１８でインクの吐出量の累計値が前記インク流路のインク収容量を超えるのを待ち受ける。
【００７５】
＜ステップＳ１９＞
ステップＳ１９において、制御部６０は、ステップＳ１４と同様に、並行して実行されている前記特定印刷処理で印刷される画像に対応する前記特定画像データが前記判定用画像を含むか否かを判定する。ここで、ステップＳ１９の処理は、制御部６０の第２判定処理部６６により実行される。
【００７６】
ここで、制御部６０は、前記特定画像データが前記判定用画像を含むと判断すると（Ｓ１９のＹｅｓ側）、処理をステップＳ２１に移行させる。また、前記特定画像データが前記判定用画像を含まなければ（Ｓ１９のＮｏ側）、制御部６０は、処理をステップＳ２０に移行させる。
【００７７】
＜ステップＳ２０＞
ステップＳ２０において、制御部６０は、ステップＳ１５と同様に、前記特定画像データに前記判定用画像を付加する。ここで、ステップＳ２０の処理は、制御部６０の付加処理部６７により実行される。
【００７８】
＜ステップＳ２１＞
ステップＳ２１において、制御部６０は、ステップＳ１６と同様に、画像読取部５０を用いて、記録ヘッド２３によって形成された画像を読み取る。ここに、ステップＳ２１の処理が、本発明における読取ステップの一例であって、制御部６０の読取処理部６５により実行される。
【００７９】
＜ステップＳ２２＞
ステップＳ２２において、制御部６０は、ステップＳ１７と同様に、ステップＳ２１で読み取られた読取データ（前記第２読取データ）から前記判定用画像を抽出する。ここに、ステップＳ２２の処理が、本発明における抽出ステップの一例であって、制御部６０の抽出処理部６８により実行される。
【００８０】
＜ステップＳ２３＞
ステップＳ２３において、制御部６０は、ステップＳ１７で抽出された前記判定用画像、及びステップＳ２２で抽出された前記判定用画像に基づいて、画質変化の有無を判定する。ここに、ステップＳ２３の処理が、本発明における判定ステップの一例であって、制御部６０の第１判定処理部６９により実行される。
【００８１】
ここで、制御部６０は、画質変化があると判定すると（Ｓ２３のＹｅｓ側）、処理をステップＳ２３１に移行させる。また、画質変化がないと判定した場合には（Ｓ２３のＮｏ側）、制御部６０は、処理をステップＳ２４に移行させる。
【００８２】
＜ステップＳ２３１＞
ステップＳ２３１において、制御部６０は、前記供給担当のインク供給源３２の切り替わりにより印刷画質が変化した旨を示すメッセージを操作表示部４０に表示させる。これにより、記録装置１０のユーザーは、出力された印刷物の画質を確認して、前記特定印刷処理の続行又は中断を判断することが可能である。ここで、ステップＳ２３１の処理は、制御部６０の報知処理部７０により実行される。
【００８３】
＜ステップＳ２４＞
ステップＳ２４において、制御部６０は、予め定められた終了条件を充足したか否かを判断する。
【００８４】
例えば、前記終了条件は、前記供給担当のインク供給源３２が切り替えられたインク供給部２５に対応するラインヘッド２２によるインクの吐出量（消費量）の累計値が、前記インク流路のインク収容量とサブインクタンク２９のインク収容量との合計値を超えることである。なお、前記終了条件は、第１判定処理部６９により、予め定められた回数連続して、前記第１読取データから抽出された前記判定用画像における前記第１色の濃度と前記第２読取データから抽出された前記判定用画像における前記第１色の濃度とが同一であると判定されることであってもよい。また、前記終了条件は、ステップＳ２３の処理の実行回数が予め定められた回数に達したことであってもよい。
【００８５】
ここで、制御部６０は、前記終了条件を充足したと判断すると（Ｓ２４のＹｅｓ側）、前記画質判定処理を終了させる。また、前記終了条件を充足していなければ（Ｓ２４のＮｏ側）、制御部６０は、処理をステップＳ２５に移行させる。
【００８６】
＜ステップＳ２５＞
ステップＳ２５において、制御部６０は、前記間隔に対応する時間が経過したか否かを判断する。
【００８７】
ここで、制御部６０は、前記間隔に対応する時間が経過したと判断すると（Ｓ２５のＹｅｓ側）、処理をステップＳ１９に移行させる。これにより、前記間隔に対応する時間が経過するごとに、インクの切り替わりによる画質変化の有無が判定される。そのため、インクの切り替わりによる画質変化の有無を一度だけ判定する構成と比較して、判定精度を低下させることなく、インクの切り替わりによる画質変化を早期に検出可能である。また、前記間隔に対応する時間が経過していなければ（Ｓ２５のＮｏ側）、制御部６０は、ステップＳ２５で前記間隔に対応する時間が経過するのを待ち受ける。
【００８８】
なお、前記画質判定処理において、ステップＳ１４及びステップＳ１９の処理は省略されてもよい。
【００８９】
また、前記画質判定処理において、ステップＳ２３１の処理が実行される場合に前記特定印刷処理の実行が中断されてもよい。この場合、制御部６０は、前記供給担当のインク供給源３２のインク容器２６の交換を促すメッセージを操作表示部４０に表示させて、その後の操作表示部４０におけるユーザーの操作に応じてサブインクタンク２９内のインクを排出するパージ処理を実行してもよい。この場合、制御部６０は、前記パージ処理の実行後に前記特定印刷処理を再開してもよい。また、この場合、制御部６０は、前記パージ処理の実行後に画像記録部２０に前記判定用画像を形成させて、画像読取部５０による当該判定用画像の読み取り結果に基づいて画質変化がないと判定された場合に、前記特定印刷処理を再開してもよい。
【００９０】
このように、記録装置１０では、前記タイミングの前後で記録ヘッド２３によって記録された画像に基づいて画質変化の有無が判定される。これにより、インクの切り替わりの前後で印刷物を確認するユーザーの手間を軽減することが可能である。
【００９１】
なお、図６に示されるように、制御部６０は、報知処理部７０に替えて、以下に説明する補正処理部７１を含んでいてもよい。
【００９２】
補正処理部７１は、第１判定処理部６９によって画質変化があると判定された場合に、記録ヘッド２３によって形成される画像に含まれる前記第１色の濃度を補正する補正処理を実行する。
【００９３】
例えば、前記補正処理は、前記特定画像データに含まれる画素各々の前記第１色の濃度を変更する処理である。具体的に、前記補正処理では、前記第２読取データから抽出された前記判定用画像における前記第１色の濃度が前記第１読取データから抽出された前記判定用画像における前記第１色の濃度よりも濃い場合は、前記特定画像データに含まれる画素各々の前記第１色の濃度が薄くなるように変更される。また、前記補正処理では、前記第２読取データから抽出された前記判定用画像における前記第１色の濃度が前記第１読取データから抽出された前記判定用画像における前記第１色の濃度よりも薄い場合は、前記特定画像データに含まれる画素各々の前記第１色の濃度が濃くなるように変更される。また、前記補正処理では、前記第１読取データから抽出された前記判定用画像における前記第１色の濃度と前記第２読取データから抽出された前記判定用画像における前記第１色の濃度との差のうち前記閾値を超える分に応じて、前記特定画像データに含まれる画素各々の前記第１色の濃度が変更される。
【００９４】
なお、前記補正処理は、記録ヘッド２３の前記圧電素子に印加される前記駆動電圧を変更する処理であってもよい。即ち、前記補正処理は、吐出ノズル２４から吐出されるインク滴の水量を増減する処理であってもよい。
【００９５】
制御部６０が報知処理部７０に替えて補正処理部７１を含む場合、前記画質判定処理のステップＳ２３１では、報知処理部７０による処理に替えて、補正処理部７１による処理が実行される。即ち、ステップＳ２３１において、制御部６０は、前記補正処理を実行する。
【００９６】
また、制御部６０が報知処理部７０に替えて補正処理部７１を含む場合、前記画質判定処理は、図７に示されるように変更されてもよい。
【００９７】
図７に示される前記画質判定処理では、ステップＳ２３で画質変化があると判定された場合に、ステップＳ２６の処理が実行される。ステップＳ２６において、制御部６０は、前記補正処理を実行する。ここで、ステップＳ２６の処理は、制御部６０の補正処理部７１により実行される。また、制御部６０は、ステップＳ２６の処理の実行後に、ステップＳ２４の処理を実行する。これにより、初回の前記補正処理の実行後に画質変化が発生した場合においても、当該画質変化の発生に対応して前記補正処理を実行することが可能である。
【００９８】
また、制御部６０は、報知処理部７０及び補正処理部７１の両方を含んでいてもよい。この場合、報知処理部７０は、前記供給担当のインク供給源３２の切り替わりにより印刷画質が変化した旨を示すメッセージとともに、その変化を抑制するために前記補正処理が実行された旨を報知してよい。
【００９９】
また、記録装置１０のインク供給部２５は、インク容器２６Ｂ、第２供給路２７Ｂ、及びポンプ２８Ｂを備えていなくてもよい。この場合、前記特定印刷処理の実行を中断することなくインク容器２６Ａを交換する（切り替える）ことは困難である。そのため、制御部６０は、前記画質判定処理において、ステップＳ１２の処理に替えて、前記特定印刷処理を中断する処理を実行してもよい。また、制御部６０は、前記特定印刷処理の中断後に受け付けられるユーザーの操作に応じて、前記特定印刷処理を再開させてよい。この構成では、インク容器２６Ａが、本発明のインク供給源に該当する。
【０１００】
また、記録装置１０のインク供給部２５は、インク容器２６Ｂ、第２供給路２７Ａ、２７Ｂ、ポンプ２８Ａ、２８Ｂ、サブインクタンク２９、及びセンサー３０を備えていなくてもよい。換言すると、インク供給部２５において、インク容器２６Ａと記録ヘッド２３とが第１供給路３１によって直接接続されていてもよい。この場合においても、前記特定印刷処理の実行を中断することなくインク容器２６Ａを交換する（切り替える）ことは困難である。そのため、制御部６０は、前記画質判定処理において、ステップＳ１２の処理に替えて、前記特定印刷処理を中断する処理を実行してもよい。また、制御部６０は、前記特定印刷処理の中断後に受け付けられるユーザーの操作に応じて、前記特定印刷処理を再開させてよい。この構成においても、インク容器２６Ａが、本発明のインク供給源に該当する。
【０１０１】
また、本発明は、印刷用紙などのシート状の記録媒体に画像を記録するインクジェット記録装置に適用されてもよい。
【符号の説明】
【０１０２】
１０    インクジェット記録装置
１１    搬送部
１２    支持ユニット
１３    昇降機構
１４    メンテナンスユニット
１５    キャップユニット
１６    本体フレーム
２０    画像記録部
２１    ヘッドフレーム
２２    ラインヘッド
２３    記録ヘッド
２４    吐出ノズル
２５    インク供給部
２６    インク容器
２７Ａ、２７Ｂ  第２供給路
２８    ポンプ
２９    サブインクタンク
３０    センサー
３１    第１供給路
３２    インク供給源
４０    操作表示部
５０    画像読取部
６０    制御部
６５    読取処理部
６６    第２判定処理部
６７    付加処理部
６８    抽出処理部
６９    第１判定処理部
７０    報知処理部
７１    補正処理部
【図１】
2020001236.tif 000003
【図２】
2020001236.tif 000004
【図３】
2020001236.tif 000005
【図４】
2020001236.tif 000006
【図５】
2020001236.tif 000007
【図６】
2020001236.tif 000008
【図７】
2020001236.tif 000009